(57)【要約】【課題】頭部や首部に装着可能であり、利便性、デザイン性に優れた表示装置付き装着体を提供する。【解決手段】例えば、表示装置付き装着体（表示装置付き帽子）１０を帽子形状にし、この表示装置付き装着体の装着者が視認可能となる位置（顔の前方のつば部分）に表示手段１１を配置した。これにより、通常の視野には入りにくく、邪魔にならない一方、必要な際には、視認可能な箇所に表示手段を配置することが可能となる。また、基材１６をフレキシブルな素材で構成することにより、装着感を向上し、外観の違和感のない表示装置付き装着体を実現することが可能となる。【選択図】      図１
2004190154.tif 000002
【特許請求の範囲】
【請求項１】
情報を表示するための表示手段を有する表示装置付き装着体であって、
基材がフレキシブルな素材で構成され、人体の頭部又は首部に装着可能であり、当該表示装置付き装着体の装着者が視認可能な位置に前記表示手段が配置されている表示装置付き装着体。
【請求項２】
前記表示手段が、前記装着者の通常の視界の邪魔にならない箇所に配置されている請求項１に記載の表示装置付き装着体。
【請求項３】
撮像手段を有し、前記撮像手段によって撮像された画像を前記表示手段で表示することが可能な請求項１又は２に記載の表示装置付き装着体。
【請求項４】
形状保持可能な紐状部材を有し、前記撮像手段が前記紐状部材に係止可能であり、前記撮像手段の撮像方向を所望の方向に固定することが可能な請求項３に記載の表示装置付き装着体。
【請求項５】
情報の送受信を行うための無線通信手段を有する請求項１から４のいずれか１つに記載の表示装置付き装着体。
【請求項６】
情報の格納を可能とする情報格納手段を有する請求項１から５のいずれか１つに記載の表示装置付き装着体。
【請求項７】
前記フレキシブルな素材の一部又は全部が導電性繊維であり、前記導電性繊維を利用して、データ伝送又は電力供給を行うよう構成されている請求項１から６のいずれか１つに記載の表示装置付き装着体。
【請求項８】
情報を表示するための表示手段を有する表示装置付き帽子であって、
基材がフレキシブルな素材で構成され、人体の頭部に装着可能であり、当該表示装置付き帽子の装着者が視認可能な位置に前記表示手段が配置されている表示装置付き帽子。
【請求項９】
前記表示手段が、当該表示装置付き帽子を装着した際の顔側の縁部に、顔と対向するように配置されている請求項８に記載の表示装置付き帽子。
【請求項１０】
情報を表示するための表示手段を有する表示装置付きマフラーであって、
基材がフレキシブルな素材で構成され、人体の首部に装着可能であり、当該表示装置付きマフラーの装着者が視認可能な位置に前記表示手段が配置されている表示装置付きマフラー。
【請求項１１】
前記表示手段が、当該表示装置付きマフラーを装着した際の顔側に、顔と対向するように配置されている請求項１０に記載の表示装置付きマフラー。
【発明の詳細な説明】
【０００１】
【発明の属する技術分野】
本発明は、頭部付近に装着可能とし、様々な情報を視認可能となるよう表示する表示装置付き装着体及び表示装置付き帽子並びに表示装置付きマフラーに関する。
【０００２】
【従来の技術】
従来、静止画像や動画像などの画像を表示する光学系の表示手段が両眼の前方に位置するよう頭部に装着可能なＨＭＤ（Ｈｅａｄ  Ｍｏｕｎｔ  Ｄｉｓｐｌａｙ：ヘッドマウントディスプレイ）が存在する。一般的に、ＨＭＤは、眼球近くに小型の液晶画面を配置するようゴーグルなどで頭部に固定可能となっており、眼前に迫力のある大画面を映し出すことを可能とするものである。また、ハーフミラーを用いて外部の現実世界を視認できるＨＭＤや、外部の現実世界の環境をカメラなどで撮像し、現実世界と仮想世界とを合成して眼前に映し出すＨＭＤも存在する。
【０００３】
例えば、下記の特許文献１には、ＨＭＤを帽子に取り付け、観察者は、ＨＭＤが取り付けられた帽子を装着することによって衛生的で繰り返し使用可能な頭部装着型映像表示装置が開示されている。また、下記の特許文献２には、サンバイザや帽子などの頭冠具のつば部分に、ＨＭＤをクリップで着脱可能に係止し、ＨＭＤを装着した際の外観の違和感を軽減する頭部装着型情報表示装置が開示されている。
【０００４】
【特許文献１】
特開平８−２３７５７５号公報（段落００２２、００３２、００３５〜００３７、図６、図１０、図１１）
【特許文献２】
特開２００２−７２１３０号公報（段落０００８〜００１０、図１〜図３）
【０００５】
【発明が解決しようとする課題】
しかしながら、特許文献１で開示されている頭部装着型映像表示装置及び特許文献２で開示されている頭部装着型情報表示装置や一般的なＨＭＤは、眼前に表示画面が配置されるように装着するものであり、現実世界の周囲の環境が見えにくくなるか、まったく見えなくなってしまうという問題がある。さらに、眼前にＨＭＤが配置されることによって、装着者が不快感を覚えたり、装着者の外観が違和感を生じたりするものとなってしまうという問題がある。また、特許文献１で開示されている頭部装着型映像表示装置及び特許文献２で開示されている頭部装着型情報表示装置は、帽子とＨＭＤとの着脱が可能である一方、配線がむき出しになったり各処理手段の配置位置が定まらなかったりするため、デザイン性に劣るという問題がある。
【０００６】
本発明は、上記問題点に鑑み、利便性、デザイン性に優れた表示装置付き装着体及び表示装置付き帽子並びに表示装置付きマフラーを提供することを目的とする。
【０００７】
【課題を解決するための手段】
上記目的を達成するため、本発明では、情報を表示するための表示手段を有する表示装置付き装着体であって、基材がフレキシブルな素材で構成され、頭部又は首部に装着可能であり、当該表示装置付き装着体の装着者が視認可能な位置に表示手段を配置した。
この構成により、視認可能な箇所に表示手段が設けられており、頭部や首部に装着可能なフレキシブルな素材によって構成された、利便性、デザイン性に優れた表示装置付き装着体を実現することが可能となる。
【０００８】
さらに、本発明では、上記本発明に加えて、装着者の通常の視界の邪魔にならない箇所に表示手段を配置した。
この構成により、通常の装着時には邪魔にならず、かつ、必要時のみ表示手段の視認が可能となる。
【０００９】
さらに、本発明では、上記本発明に加えて、撮像手段を有し、撮像手段によって撮像された画像を表示手段で表示することが可能なよう構成した。
この構成により、撮像手段で撮像された画像を表示手段で閲覧しながら撮像を行ったり、撮像された画像の確認を行ったりすることが可能となる。
【００１０】
さらに、本発明では、上記本発明に加えて、形状保持可能な紐状部材を有し、撮像手段が紐状部材に係止可能であり、撮像手段の撮像方向を所望の方向に固定することが可能なよう構成した。
この構成により、撮像手段の撮像方向を所望の方向に固定して、安定した撮像を行うことが可能となる。
【００１１】
さらに、本発明では、上記本発明に加えて、情報の送受信を行うための無線通信手段を有するよう構成した。
この構成により、例えば、遠隔に配置された所定のサーバとの通信を行うことによって、撮像手段で撮像された画像を格納したり、表示手段で表示する画像を取得したりすることが可能となり、当該表示装置付き装着体で用いられる情報の管理を容易にすることが可能となる。
【００１２】
さらに、本発明では、上記本発明に加えて、情報の格納を可能とする情報格納手段を有するよう構成した。
この構成により、例えば、情報格納手段への情報の書込みや読出しを行うことによって、撮像手段で撮像された画像を格納したり、表示手段で表示する画像を取得したりすることが可能となり、当該表示装置付き装着体で用いられる情報の管理を容易にすることが可能となる。
【００１３】
さらに、本発明では、上記本発明に加えて、フレキシブルな素材の一部又は全部が導電性繊維であり、導電性繊維を利用して、データ伝送又は電力供給を行うよう構成した。
この構成により、表示装置付き装着体の基材を繊維質の素材によって実現し、利便性、デザイン性に優れた表示装置付き装着体を実現することが可能となる。
【００１４】
また、上記目的を達成するため、本発明では、情報を表示するための表示手段を有する表示装置付き帽子であって、基材がフレキシブルな素材で構成され、頭部に装着可能であり、当該表示装置付き帽子の装着者が視認可能な位置に表示手段を配置した。
この構成により、視認可能な箇所に表示手段が設けられており、頭部に装着可能なフレキシブルな素材によって構成された、利便性、デザイン性に優れた帽子形状の表示装置付き帽子を実現することが可能となる。
【００１５】
さらに、本発明では、上記本発明に加えて、表示手段を、当該表示装置付き帽子を装着した際の顔側の縁部に、顔と対向するように配置した。
この構成により、通常の装着時には邪魔にならず、かつ、必要時のみ表示手段の視認が可能となるようにすることが可能となる。
【００１６】
また、上記目的を達成するため、本発明では、情報を表示するための表示手段を有する表示装置付きマフラーであって、基材がフレキシブルな素材で構成され、首部に装着可能であり、当該表示装置付きマフラーの装着者が視認可能な位置に表示手段を配置した。
この構成により、視認可能な箇所に表示手段が設けられており、首部に装着可能なフレキシブルな素材によって構成された、利便性、デザイン性に優れたマフラー形状の表示装置付きマフラーを実現することが可能となる。
【００１７】
さらに、本発明では、上記本発明に加えて、表示手段を、当該表示装置付きマフラーを装着した際の顔側に、顔と対向するように配置した。
この構成により、通常の装着時には邪魔にならず、かつ、必要時のみ表示手段の視認が可能となる。
【００１８】
【発明の実施の形態】
以下、図面を参照しながら、本発明の好ましい第１及び第２の実施の形態について詳細に説明する。なお、本発明の第１の実施の形態では、帽子を表示装置付き装着体として利用した表示装置付き帽子に関して、本発明の第２の実施の形態では、マフラーを表示装置付き装着体として利用した表示装置付きマフラーに関して説明する。
【００１９】
（第１の実施の形態）
まず、本発明の第１の実施の形態について説明する。図１は、本発明の第１の実施の形態における表示装置付き帽子の外観を示す模式図であり、図２は、本発明の第１の実施の形態における表示装置付き帽子を頭部に装着した使用状態を示す模式図である。図１及び図２に示す表示装置付き帽子１０は、表示手段１１、カメラ１２、装置本体部１３、操作手段１４、電気的配線１５、頭部全体を包み込む基材１６を有している。なお、表示手段１１及び装置本体部１３は、図１及び図２では図示不可能な位置に存在しているが、図１及び図２では、それらの存在位置が点線によって示されている。
【００２０】
表示手段１１は、当該表示装置付き帽子１０を頭部に装着した際に視認可能となる前方（顔側）の縁部（ひさし、つばと呼ばれる部分）に設けられており、静止画や動画などの画像や文字など、様々な情報を表示する表示手段である。この表示手段１１は、ＬＣＤ（Ｌｉｑｕｉｄ  Ｃｒｙｓｔａｌ  Ｄｉｓｐｌａｙ：液晶ディスプレイ）や、さらに好ましくは、プラスチックフィルム基板を用いたフレキシブルな液晶ディスプレイによって実現可能である。
【００２１】
また、カメラ１２は、外部の被写体を静止画や動画などの画像として撮像する撮像手段であり、当該表示装置付き帽子１０の任意の箇所に配置可能である。このカメラ１２は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などによって実現可能である。なお、図１及び図２では、複数のカメラ１２がそれぞれフレキシブルかつ形状保持可能な電気的配線１５によって接続されており、この電気的配線１５の形状を変化させたりカメラ１２の位置を移動したりすることによって、カメラ１２を当該表示装置付き帽子１０の表面の任意の箇所に支持できるようになっているが、その他の方法によって、カメラ１２を当該表示装置付き帽子１０の表面の任意の箇所に支持できるようにすることも可能である。
【００２２】
また、カメラ１２を表示装置付き帽子１０の所定の箇所に固定することによって、電気的配線１５が外部に露出しないようにすることも可能である。また、カメラ１２で撮像される画像を近距離無線通信などによって装置本体部１３に供給できるようにし、デザイン性を損なうことのある電気的配線１５をなくすことも可能であり、この場合、例えば、図１及び図２に示す電気的配線１５の代わりに、導電性又は非導電性を問わない紐状部材を配置し、カメラ１２を係止部材によって、紐状部材の任意の箇所に係止出来るようにすることも可能である。
【００２３】
また、装置本体部１３は、主な処理や動作制御などを行うＣＰＵ（Ｃｅｎｔｒａｌ  Ｐｒｏｃｅｓｓｉｎｇ  Ｕｎｉｔ：中央処理手段）やＭＰＵ（Ｍｉｃｒｏ  Ｐｒｏｃｅｓｓｉｎｇ  Ｕｎｉｔ）、通信手段、情報格納手段など、様々な手段を内装するものである。なお、装置本体部１３は、当該表示装置付き帽子１０の頭頂部や後頭部など、装着の邪魔にならず、かつ、デザイン性を損なわない位置に配置されることが好ましい。
【００２４】
また、操作手段１４は、当該表示装置付き帽子１０に係る様々な操作を行うための手段であり、例えば、様々な操作を行うことを可能とするものであり、例えば、当該表示装置付き帽子１０の装着者は、この操作手段１４を用いて、カメラ１２による撮像動作、表示手段１１を用いて撮像された画像の表示、装置本体部１３の通信手段を用いたネットワークとの通信及び情報の送受信、装置本体部１３の情報格納手段への情報の格納及び読出しを始めとする様々な操作を行うことが可能である。なお、操作手段１４を用いた操作は、上記の各処理に係る操作に限定されず、操作手段１４を用いて、その他の操作を行うことも可能である。
【００２５】
また、図１及び図２では、操作手段１４は、当該表示装置付き帽子１０の装着時に、装着者が右手で操作しやすい位置であって、通常の状態では装着者の視野の邪魔にならず、操作手段１４の操作時には視認可能となる位置に吊り下げられている。図１及び図２に示すように、操作手段１４の配置位置は、操作時のみ視認可能となるようにすることが好適であるが、その他の位置に配置することも可能であり、また、例えば、装着者の表示手段１１への視線を認識する機能を有し、装着者が視線を使って操作可能とすることも可能である。
【００２６】
また、頭部全体を包み込み、表示手段１１、カメラ１２、装置本体部１３などの様々な構成要素を取り付けるための役割を有する基材１６は、例えば、塩化ビニール、プラスチックやゴムなどの高分子材料、布などのフレキシブルな素材を用いて、装着感や機能性を高めるようにすることが好ましい。
【００２７】
また、構成要素間における情報伝送や電圧供給を行うため、導電性の素材を用いて回路を作成する必要がある。この構成要素間の配線の媒体としては、例えば、導電性繊維を用いることによって、当該表示装置付き帽子１０のデザイン性や機能性などを損なわず、軽量かつ柔らかな帽子を実現することが可能である。また、所望の配線形状に応じて、通常の繊維内に導電性繊維を織り込んで基材１６を作成することも可能であり、２層の導電性繊維の間に半導電層が重ね合わされた３層構造を有する既存の導電性繊維を用いて基材１６を作成することも可能である。
【００２８】
また、図６は、本発明の第１の実施の形態における表示装置付き帽子の内部構成を示すブロック図である。なお、図６は、図１及び図２に図示されている表示装置付き帽子１０の内部構成の一例を示すものであり、図１及び図２に示されているものと同一の構成要素に関しては、同一の符号が付されている。また、図６に示す表示装置付き帽子１０は、表示手段１１、カメラ１２、装置本体部１３、操作手段１４を有しており、これらの機能に関しては上述の通りであり、詳細な説明を省略する。
【００２９】
また、装置本体部１３は、処理手段５１、通信手段５２、情報格納手段５３を有している。処理手段５１は、当該表示装置付き帽子１０全体の処理や制御、カメラ１２などの各構成要素における処理や制御などを行う手段であり、ＣＰＵやＭＰＵなどによって実現可能である。また、通信手段５２は、インターネット６０などの外部ネットワークに接続可能であり、例えば、カメラ１２を用いて撮像された画像情報を所定のサーバに格納したり、表示手段１１に表示する画像情報を所定のサーバから取得したりすることを可能とする手段である。また、情報格納手段５３を設け、この情報格納手段５３にカメラ１２で撮像された画像情報を格納したり、情報格納手段５３から画像情報やその他の情報を読み出したりすることも可能である。なお、情報格納手段５３を、当該表示装置付き帽子１０に内蔵されたメモリとして実現することも可能であり、取り外し可能な可搬型記憶媒体によって実現することも可能である。
【００３０】
以上、説明したように、上記の本発明の第１の実施の形態によれば、頭部に装着可能であり、通常の装着時には邪魔にならず、かつ、必要時のみ視認可能な箇所に表示手段１１を設けた帽子形状の表示装置付き帽子１０を実現することによって、利便性、デザイン性に優れた携帯端末を実現することが可能となる。また、特に、表示装置付き帽子１０の基材１６にフレキシブルな素材を用いることによって、軽量かつデザイン性に優れたものを実現することが可能となる。
【００３１】
（第２の実施の形態）
次に、本発明の第２の実施の形態について説明する。図３は、本発明の第２の実施の形態における表示装置付きマフラーの外観を示す第１の模式図、図４は、本発明の第２の実施の形態における表示装置付きマフラーの外観を示す第２の模式図、図５は、本発明の第２の実施の形態における表示装置付きマフラーを頭部に装着した使用状態を示す模式図である。図３から図５に示す表示装置付きマフラー２０は、表示手段２１、カメラ２２、装置本体部２３、操作手段２４、電気的配線２５、首部全体を包み込む基材２６を有している。なお、図３から図５に示す表示手段２１、カメラ２２、装置本体部２３、操作手段２４、電気的配線２５、基材２６は、図１及び図２に示す表示手段１１、カメラ１２、装置本体部１３、操作手段１４、電気的配線１５、基材１６と同一の機能を有しており、当該表示装置付きマフラー２０の内部構成は、図６に示す表示装置付き帽子１０の内部構成と同一である。
【００３２】
表示手段２１は、当該表示装置付きマフラー２０を首部に装着した際に視認可能となる前方（顔側）の内側部分に設けられており、静止画や動画などの画像や文字など、様々な情報を表示する表示手段である。なお、上記視認可能となる前方（顔側）の内側部分以外の視認可能な箇所に、表示手段２１を設置することも可能である。
【００３３】
また、カメラ２２は、外部の被写体を静止画や動画などの画像として撮像する撮像手段であり、当該表示装置付きマフラー２０の任意の箇所に配置可能である。なお、図３から図５では、カメラ２２がフレキシブルかつ形状保持可能な電気的配線２５によって接続されており、この電気的配線２５の形状を変化させたりカメラ２２の位置を移動したりすることによって、カメラ２２を当該表示装置付きマフラー２０の表面の任意の箇所に支持できるようになっているが、その他の方法によって、カメラ２２を当該表示装置付きマフラー２０の任意の箇所に支持できるようにすることも可能であり、電気的配線２５を外部に露出しないようにしたり、カメラ２２と装置本体部２３とが近距離無線通信によって情報の伝送を行うようにすることも可能である。
【００３４】
また、装置本体部２３は、様々な手段を内装するものであり、任意の箇所に配置可能であるが、図３から図５に示すように、首部の前方部や後方部など装着の邪魔にならず、かつ、デザイン性を損なわない位置に配置されることが好ましい。また、操作手段２４は、当該表示装置付き帽子１０に係る様々な操作を行うための手段であり、この操作手段２４も装着の邪魔にならず、デザイン性を損なわない任意の箇所に配置されることが好ましい。
【００３５】
また、首部全体を包み込む基材２６は、例えば、塩化ビニール、プラスチックやゴムなどの高分子材料、布などのフレキシブルな素材を用いて、装着感や機能性を高めるようにすることが好適であり、さらに、構成要素間における情報伝送や電圧供給を行うために、導電性の素材を用いることが好ましい。また、図３から図５では、また、通常のマフラーのように、当該表示装置付きマフラー２０の基材２６を１枚のシート状の部材によって構成し、装着者が首に巻回することによって装着する態様が図示されているが、例えば、当該表示装置付きマフラー２０の基材２６が環状構造をしており、頭頂部からかぶるようにして装着する態様や、基材２６の後方部分（装着時に首の後ろ側が接触する部分）に、環状構造を開放する切断部と留め外し可能な留め具とを設け、装着時には、開放された切断部に首を通し、首が収まった状態で留め具によって環状構造を閉じるようにする態様も可能である。
【００３６】
以上、説明したように、上記の本発明の第２の実施の形態によれば、首部に装着可能であり、通常の装着時には邪魔にならず、かつ、必要時のみ視認可能な箇所に表示手段２１を設けたマフラー形状の表示装置付きマフラー２０を実現することによって、利便性、デザイン性に優れた携帯端末を実現することが可能となる。また、特に、表示装置付きマフラー２０の基材２６にフレキシブルな素材を用いることによって、軽量かつデザイン性に優れたものを実現することが可能となる。
【００３７】
また、上記第１及び第２の実施の形態のそれぞれにおいて、帽子形状の表示装置付き帽子１０及びマフラー形状の表示装置付きマフラー２０に関して説明したが、本発明は、帽子形状又はマフラー形状に限定されず、様々な装着体（スカーフ、シャツのカラー、ネクタイ、鉢巻きなど）をモデルとして、頭部や首部など、容易に視認可能となる位置に表示手段を装着し、本発明の表示装置付き装着体を実現することが可能である。また、上記のような従来の装着体に束縛されず、新しい形状の表示装置付き装着体を実現することも可能である。
【００３８】
【発明の効果】
以上、説明したように、本発明によれば、頭部や首部に装着可能であり、通常の装着時には邪魔にならず、かつ、必要時のみ視認可能な箇所に表示手段を設けることによって、利便性、デザイン性に優れた表示装置付き装着体を実現することが可能となる。また、特に、表示装置付き装着体の基材にフレキシブルな素材を用いることによって、軽量かつデザイン性に優れたものを実現することが可能となる。
【図面の簡単な説明】
【図１】本発明の第１の実施の形態における表示装置付き帽子の外観を示す模式図
【図２】本発明の第１の実施の形態における表示装置付き帽子を頭部に装着した使用状態を示す模式図
【図３】本発明の第２の実施の形態における表示装置付きマフラーの外観を示す第１の模式図
【図４】本発明の第２の実施の形態における表示装置付きマフラーの外観を示す第２の模式図
【図５】本発明の第２の実施の形態における表示装置付きマフラーを頭部に装着した使用状態を示す模式図
【図６】本発明の第１の実施の形態における表示装置付き帽子の内部構成を示すブロック図
【符号の説明】
１０  表示装置付き帽子
１１、２１  表示手段
１２、２２  カメラ（撮像手段）
１３、２３  装置本体部
１４、２４  操作手段
１５、２５  電気的配線
１６、２６  基材
２０  表示装置付きマフラー
５１  処理手段
５２  通信手段
５３  情報格納手段
【図１】
2004190154.tif 000003
【図２】
2004190154.tif 000004
【図３】
2004190154.tif 000005
【図４】
2004190154.tif 000006
【図５】
2004190154.tif 000007
【図６】
2004190154.tif 000008